(57)【要約】【課題】タービンディスク２１の耐久性及び回転安定性を十分に確保した上で、ブラシシール４５の交換頻度を低くして、接触型のガスシール構造４３のメンテナンスコストの低減を図ること。【解決手段】シールステータ３７のアウター円筒部４１の内周面に環状のブラシシール４５が設けられており、このブラシシール４５は、シールステータ３７のアウター円筒部４１の内周面の周方向に沿って環状に並んだ多数のブラシ毛４９を備え、タービンディスク２１のインナー円筒部２５の外周面における多数のブラシ毛４９と接触する部位に環状のポーラスな保護被膜５７が形成され、保護被膜５７は、クロムを含むコバルト合金の粉末をコーティング材料として用い、放電表面処理によってコーティングされたものであること。【選択図】図１
2016070258.tif 000002
【特許請求の範囲】
【請求項１】
ターボ回転機械に用いられ、回転可能なロータ部の外周面と前記ロータ部を囲むステータ部の内周面との間の隙間からの高温ガスの漏れを抑える接触型のガスシール構造において、
前記ステータ部の内周面に設けられ、前記ステータ部の内周面の周方向に沿って環状に並びかつ少なくとも前記ターボ回転機械の運転中に前記ロータ部の外周面に接触する多数のブラシ要素を備えた環状のブラシシールと、
前記ロータ部の外周面における多数の前記ブラシ要素と接触する部位に形成され、クロムを含むコバルト合金をコーティング材料として用い、放電表面処理又は大気溶射によってコーティングされた環状のポーラスな保護被膜と、を具備したことを特徴とする接触型のガスシール構造。
【請求項２】
前記ターボ回転機械の運転中に６５０℃以上の酸化雰囲気に置かれるようになっていることを特徴とする請求項１に記載の接触型のガスシール構造。
【請求項３】
前記ブラシ要素は、クロムを含むコバルト合金からなっていることを特徴とする請求項１又は請求項２に記載の接触型のガスシール構造。
【請求項４】
前記ブラシ要素は、先端側が基端側よりも前記ロータ部の回転方向側に位置するように半径方向に対して傾斜して構成されていることを特徴とする請求項１から請求項３のうちのいずれか１項に記載の接触型のガスシール構造。
【請求項５】
請求項１から請求項４のうちのいずれかの１項に記載の接触型のガスシール構造を具備したことを特徴とするターボ回転機械。
【発明の詳細な説明】
【技術分野】
【０００１】
本発明は、航空用ガスタービン等のターボ回転機械に用いられ、回転可能なロータ部の外周面とロータ部を囲むステータ部の内周面との間の隙間からの燃焼ガス等の高温ガスの漏れを抑える接触型のガスシール構造等に関する。
【背景技術】
【０００２】
従来から、航空用ガスタービン等のターボ回転機械においては、ロータ部の外周面とステータ部の内周面との間の隙間からの高温ガスの漏れを抑えるために、非接触型のガスシール構造としてラビリンスシール構造が広く用いられている。また、ラビリンスシール構造が非接触型であるため、シール性の向上には限界があり、近年、接触型のガスシール構造が航空用ガスタービンに用いられ始めている。そして、接触型のガスシール構造の構成について簡単に説明すると、次のようになる。
【０００３】
ステータ部の内周面には、環状のブラシシールが設けられており、このブラシシールは、ステータ部の内周面の周方向に沿って環状に並んだ多数のブラシ要素を備えており、複数のブラシ要素は、少なくともターボ回転機械の運転中にロータ部の外周面に接触するようになっている。また、ブラシ要素は、先端（半径方向内端）側が基端（半径方向外端）側よりもロータ部の回転方向側に位置するように半径方向に対して傾斜して構成されている。
【０００４】
ロータ部の外周面における多数の前記ブラシ要素と接触する部位には、環状の保護被膜が形成されており、この保護被膜は、クロムカーバイド等の硬質材料からなるものである。これにより、ロータ部の外周面の摩耗を抑えて、ロータ部の耐久性及び回転安定性を十分に確保することができる。
【０００５】
なお、本発明に関連する先行技術としては、特許文献１から特許文献３に示すものがある。
【先行技術文献】
【特許文献】
【０００６】
【特許文献１】特開平１０−１９６８０１号公報
【特許文献２】特開２００４−５２７５８号公報
【特許文献３】特開２００８−１２１５１２号公報
【発明の概要】
【発明が解決しようとする課題】
【０００７】
ところで、前述のように、ロータ部の耐久性及び回転安定性を十分に確保するには、ロータ部の外周面に保護被膜を形成する必要があるものの、ターボ回転機械の運転中に、ブラシ要素の先端が保護被膜との接触によって摩耗（消耗）し易くなる。そのため、ブラシシールの交換頻度が高くなって、接触型のガスシール構造のメンテナンスコストの増大を招くことになる。つまり、ロータ部の耐久性及び回転安定性を十分に確保した上で、ブラシシールの交換頻度を低くして、接触型のガスシール構造のメンテナンスコストの低減を図ることは容易でないという問題がある。
【０００８】
そこで、本発明は、前述の問題を解決することができる、新規な構成の接触型のガスシール構造を提供することを目的とする。
【課題を解決するための手段】
【０００９】
本発明の第１の特徴は、ターボ回転機械に用いられ、回転可能なロータ部の外周面と前記ロータ部を囲むステータ部の内周面との間の隙間からの高温ガスの漏れを抑える接触型のガスシール構造において、前記ステータ部の内周面に設けられ、前記ステータ部の内周面の周方向に沿って環状に並びかつ少なくとも前記ターボ回転機械の運転中に前記ロータ部の外周面に接触する多数のブラシ要素を備えた環状のブラシシールと、前記ロータ部の外周面における多数の前記ブラシ要素と接触する部位に形成され、クロムを含むコバルト合金をコーティング材料として用い、放電表面処理又は大気溶射によってコーティングされた環状のポーラスな保護被膜と、を具備したことを要旨とする。
【００１０】
ここで、前記接触型のガスシール構造は、前記ターボ回転機械の運転中に６５０℃以上の酸化雰囲気に置かれるようになっていることが望ましい。また、前記ブラシ要素は、クロムを含むコバルト合金からなっていることが望ましい。更に、前記ブラシ要素は、先端（半径方向内端）側が基端（半径方向外端）側よりも前記ロータ部の回転方向側に位置するように半径方向に対して傾斜して構成されていることが望ましい。
【００１１】
なお、本願の明細書及び特許請求の範囲において、「ターボ回転機械」とは、航空用ガスタービン、産業用ガスタービン、及び蒸気タービンを含む意である。「ロータ部」とは、ターボ回転機械における回転部品及びその回転部品の一部分（回転部）を含む意であって、「ステータ部」とは、ターボ回転機械における静止部品及びその静止部品の一部分（静止部）を含む意である。また、「高温ガス」とは、燃焼ガス、蒸気、及び４００℃以上の冷却空気を含む意である。そして、「ブラシ要素」とは、針状（毛状）のブラシ要素としてのブラシ毛、及び板状のブラシ要素としてのブラシ板を含む意である。更に、「半径方向内端」とは、半径方向の内端ことをいい、「半径方向外端」とは、半径方向の外端のことをいい、「半径方向」とは、特に断らない限り、ロータ部又はブラシシールの半径方向のことをいう。
【００１２】
本発明の第１の特徴によると、前記ターボ回転機械の運転中に、多数の前記ブラシ要素が前記ロータ部の外周面に接触して、前記ロータ部の外周面と前記ステータ部の内周面との隙間を塞ぐことができる。これにより、前記ロータ部の外周面と前記ステータ部の内周面との間の隙間からの高温ガスの漏れを抑えることができる。
【００１３】
前記保護被膜が放電表面処理又は大気溶射によってコーティングされ、コーティング材料としてクロムを含むコバルト合金を用いているため、前記保護被膜が前記ターボ回転機械の運転中又は運転前に６５０℃以上の酸化雰囲気に置かれることによって、前記保護被膜の表面側に固体潤滑材としての酸化クロムの固形物を生成することができる。また、前記保護被膜が６５０℃以上の酸化雰囲気に置かない場合であっても、前記保護被膜のポーラス部分に固体潤滑材としての酸化クロムの粉末を含ませることができる。これにより、前記ターボ回転機械の運転中に、前記保護被膜が潤滑性を十分に発揮して、前記ロータ部の外周面だけでなく、前記ブラシ要素の先端の摩耗を抑えることができる。
【００１４】
本発明の第２の特徴は、ターボ回転機械において、本発明の第１の特徴からなる接触型のガスシール構造を具備したことを特徴とする。
【００１５】
本発明の第２の特徴によると、本発明の第１の特徴による作用と同様の作用を奏する。
【発明の効果】
【００１６】
本発明によれば、前記ターボ回転機械の運転中に、前記保護被膜が潤滑性を十分に発揮して、前記ロータ部の外周面及び前記ブラシ要素の先端の摩耗を抑えることができるため、前記ロータ部の耐久性及び回転安定性を十分に確保した上で、前記ブラシシールの交換頻度を低くして、前記接触型のガスシール構造のメンテナンスコストの低減を図ることができる。
【図面の簡単な説明】
【００１７】
【図１】図１は、図３における矢視部Iの拡大図である。
【図２】図２は、図３におけるII-II線に沿った拡大図である。
【図３】図３は、本発明の実施形態に係る高圧タービンを示す部分断面図である。
【図４】図４は、タービンディスクの回転部の外周面に放電表面処理によって保護被膜をコーティングする様子を示す模式図である。
【図５】図５（ａ）（ｂ）は、走査電子顕微鏡（加速電圧：１０ｋＶ、倍率：１５０倍）を用いて保護被膜の断面を観察した写真図であって、図５（ａ）は、保護被膜を６５０℃以上の酸化雰囲気中に置く前の状態を示しており、図５（ｂ）は、保護被膜を６５０℃以上の酸化雰囲気中に１０００時間置いた後の状態を示している。
【発明を実施するための形態】
【００１８】
本発明の実施形態について図面を参照して説明する。なお、図面中、「Ｆ」は、前方向（主流方向の上流側）、「Ｒ」は、後方向（主流方向の下流側）、「ＲＤ」は、半径方向、「ＲＤｉ」は、半径方向内側、「ＲＤｏ」は、半径方向外側、「ＣＤ」は、高圧タービンロータ（タービンディスク）の回転方向をそれぞれ指している。
【００１９】
図３に示すように、本発明の実施形態に係る高圧タービン１は、航空用ガスタービン３（ターボ回転機械の一例）に用いられるものであって、燃焼器５からの燃焼ガスＧの膨張によって駆動されかつ高圧圧縮機（図示省略）を連動して駆動するものである。また、高圧タービン１は、筒状の高圧タービンケース７を備えており、この高圧タービンケース７は、ガスタービン軸心（航空用ガスタービン３の軸心）Ｓと同心上に位置している。
【００２０】
高圧タービンケース７内には、燃焼ガスＧを軸流に整流する高圧タービンステータ９がガスタービン軸心Ｓと同心上に設けられている。また、高圧タービンステータ９は、その周方向（高圧タービンステータ９の周方向）に沿って分割した複数（１つのみ図示）の円弧状のタービンステータセグメント９ｓからなるものである。そして、タービンステータセグメント９ｓの具体的な構成は、次のようになる。
【００２１】
タービンステータセグメント９ｓは、複数（１つのみ図示）の静翼１１を備えており、複数の静翼１１は、航空用ガスタービン３の主流路１３内に位置している。また、複数の静翼１１の先端（半径方向外端）には、環状のアウターバンド１５が一体的に連結されており、このアウターバンド１５は、高圧タービンケース７に支持されている。アウターバンド１５の内周面は、主流路１３のアウター流路面１３ｏの一部を構成している。更に、複数の静翼１１の基端（半径方向内端）には、環状のインナーバンド１７が一体的に連結されており、このインナーバンド１７の外周面は、主流路１３のインナー流路面１３ｉの一部を構成している。
【００２２】
高圧タービンケース７内における高圧タービンステータ９の後側（主流方向の直下流側）には、高圧タービンロータ１９がガスタービン軸心Ｓ周りに回転可能に設けられており、この高圧タービンロータ１９は、燃焼器５からの燃焼ガスＧの膨張によって回転力を得るものである。そして、高圧タービンロータ１９の具体的な構成は、次のようになる。
【００２３】
高圧タービンケース７内には、タービンディスク２１がガスタービン軸心Ｓ周りに回転可能に設けられており、このタービンディスク２１は、高圧圧縮機の高圧圧縮機ロータ（図示省略）に一体的に連結してある。また、タービンディスク２１の外周縁には、複数（１つのみ図示）の取付溝（嵌合溝）２３が周方向（タービンディスク２１の外周縁の周方向）に等間隔に形成されており、回転部品であるタービンディスク２１の前側面には、ロータ部（回転部品の一部分）としてのインナー円筒部２５が形成されている。そして、タービンディスク２１の各取付溝２３には、タービン動翼２７が嵌合して設けられている。各タービン動翼２７の翼部分は、航空用ガスタービン３の主流路１３内に位置しており、各タービン動翼２７は、翼根側（基端側）に、主流路１３のインナー流路面１３ｉの一部を構成するプラットホーム２９を有している。更に、タービンディスク２１の前側面には、複数（１つのみ図示）のタービン動翼２７を前方向から保持する筒状のフロントリテーナ３１が設けられており、タービンディスク２１の後側面には、複数のタービン動翼２７を後方向から保持する筒状のリアリテーナ３３が設けられている。
【００２４】
高圧タービンケース７の内周面には、環状のタービンシュラウド３５が設けられており、タービンシュラウド３５は、その周方向（タービンシュラウド３５の周方向）に沿って分割した複数（１つのみ図示）の円弧状のタービンシュラウドセグメント３５ｓからなるものである。また、各タービンシュラウドセグメント３５ｓは、タービン動翼２７の先端（半径方向外端）との接触を許容できるようにハニカム状に構成されている。
【００２５】
高圧タービンステータ９の内側（半径方向内側）には、主流路１３側からの燃焼ガスＧの漏れを抑える環状のシールステータ３７が高圧タービンステータ９と同心上に設けられている。また、静止部品であるシールステータ３７には、後方向（主流方向の下流側）へ向かって縮径するテーパ部３９が形成されており、テーパ部３９の先端側には、タービンディスク２１のインナー円筒部２５を囲むステータ部（静止部品の一部分）としてのアウター円筒部４１が形成されている。
【００２６】
高圧タービン１は、タービンディスク２１のインナー円筒部２５の外周面とシールステータ３７のアウター円筒部４１の内周面との間の隙間からガスタービン軸心Ｓ側への燃焼ガスＧの漏れを抑える接触型のガスシール構造４３を具備している。また、接触型のガスシール構造４３は、航空用ガスタービン３の運転中に６５０〜１０８０℃の酸化雰囲気に置かれるようになっている。
【００２７】
続いて、本発明の実施形態に係る接触型のガスシール構造４３の具体的な構成について説明する。
【００２８】
図１から図３に示すように、シールステータ３７のアウター円筒部４１の内周面には、環状のブラシシール４５が止め輪４７を介して設けられており、このブラシシール４５は、シールステータ３７のアウター円筒部４１の内周面の周方向に沿って環状に並んだ多数のブラシ毛４９（ブラシ要素の一例）と、多数のブラシ毛４９に挟持した状態でロウ接合部５１を介して一体化した一対のリング板５３，５５とを備えている。ここで、ブラシ毛４９は、クロム（Ｃｒ）を含むコバルト（Ｃｏ）合金又はニッケル（Ｎｉ）合金等の耐熱合金からなるものであり、ブラシ毛４９の直径は、０．０２〜０．５０ｍｍに設定されている。また、多数のブラシ毛４９は、航空用ガスタービン３の運転前及び運転中においても、タービンディスク２１のインナー円筒部２５の外周面に接触しているが、航空用ガスタービン３の運転中にタービンディスク２１の遠心力によってタービンディスク２１のインナー円筒部２５の外周面に接触するようにしても構わない。更に、ブラシ毛４９は、先端（半径方向内端）側が基端（半径方向外端）側よりもタービンディスク２１（タービンディスク２１のインナー円筒部２５）の回転方向側に位置するように半径方向に対して傾斜して構成されている。なお、ブラシ要素としてブラシ毛４９を用いる代わりに、ブラシ板（図示省略）を用いても構わなく、各リング板５３，５５は、その周方向（各リンク板５３，５５の周方向）に沿ってセグメント化（分割）しても構わない。
【００２９】
タービンディスク２１のインナー円筒部２５の外周面における多数のブラシ毛４９と接触する部位（所定の部位）には、環状のポーラスな保護被膜５７が形成されている。また、保護被膜５７（保護被膜５７の表面）は、タービンディスク２１のインナー円筒部２５の外周面の一部を構成している。
【００３０】
保護被膜５７は、クロム（Ｃｒ）を含むコバルト（Ｃｏ）合金の粉末をコーティング材料として用い、放電表面処理によってコーティングされたものである。具体的には、図４に示すように、棒状の放電電極５９を用い、電気絶縁性のある加工液Ｌ中において、タービンディスク２１をその軸心（タービンディスク２１の軸心）周りに回転させながら、放電電極５９とタービンディスク２１のインナー円筒部２５の外周面における所定の部位との間にパルス状の放電を発生させて、その放電エネルギーによりタービンディスク２１のインナー円筒部２５の外周面における所定の部位に放電電極５９の電極材料又はこの電極材料の反応物質を溶着させることによってコーティングされるものである。
【００３１】
ここで、放電電極５９は、電極材料、換言すれば、コーティング材料としてのクロムを含むコバルト合金の粉末を圧縮成形してなる成形体（加熱処理をした成形体を含む）からなるものである。クロムを含むコバルト合金の粉末の配合比率は、クロム（Ｃｒ）２５重量％，ニッケル（Ｎｉ）１０重量％，タングステン（Ｗ）７重量％，残コバルト（Ｃｏ）、又はクロム２０重量％，ニッケル１０重量％，タングステ）１５重量％，残コバルトになっているが、本発明の効果を奏する範囲内において、適宜に変更可能である。放電電極５９としてコバルト合金の粉末等を圧縮成形してなる成形体を用いる代わりに、泥漿、射出成形、溶射等によって成形してなる成形体を用いても構わない。
【００３２】
前述のように、図１に示すように、保護被膜５７が放電表面処理によってコーティングされる代わりに、クロムを含むコバルト合金の粉末をコーティング材料（溶射材料）として用い、大気プラズマ溶射によってコーティングされるものであっても構わない。
【００３３】
なお、図３に示すように、高圧タービン１の後方には、低圧タービン（図示省略）が配設されており、この低圧タービンは、高圧タービン１と同様に、燃焼器５からの燃焼ガスＧの膨張によって駆動されかつ低圧圧縮機（図示省略）を連動して駆動するものである。
【００３４】
続いて、本発明の実施形態の作用及び効果について説明する。
【００３５】
航空用ガスタービン３の運転を開始すると、高圧タービン１が燃焼器５から燃焼ガスＧの膨張によって駆動されて、高圧タービンロータ１９が回転する。すると、複数の高圧圧縮機ロータを高圧タービンロータ１９と一体的に回転させて、高圧タービン１の駆動に連動して高圧圧縮機を駆動する。同様に、低圧タービンが燃焼器５から燃焼ガスＧの膨張によって駆動されて、低圧タービンの駆動に連動して低圧圧縮機を駆動する。
【００３６】
航空用ガスタービン３の運転中に、多数のブラシ毛４９がタービンディスク２１のインナー円筒部２５の外周面に接触して、タービンディスク２１のインナー円筒部２５の外周面とシールステータ３７のアウター円筒部４１の内周面との隙間を塞ぐことができる。これにより、タービンディスク２１のインナー円筒部２５の外周面とシールステータ３７のアウター円筒部４１の内周面との隙間からの燃焼ガスの漏れを抑えることができる。
【００３７】
保護被膜５７が放電表面処理によってコーティングされ、コーティング材料としてクロムを含むコバルト合金の粉末を用いているため、保護被膜５７が航空用ガスタービン３の運転中に６５０℃以上の酸化雰囲気に置かれることによって、図５（ａ）（ｂ）に示すように、保護被膜５７をポーラス部分に固体潤滑材としての酸化クロム（Ｃｒ2Ｏ3）の粉末を含んだ状態から、表面側及び内部に酸化クロムの固形物を生成した状態に変化させることができる。また、保護被膜５７が放電表面処理によってコーティングされているため、保護被膜５７とタービンディスク２１のインナー円筒部２５の基材との境界には混ざり合った傾斜合金層が形成され、保護被膜５７がタービンディスク２１のインナー円筒部２５から剥が難くなる。これにより、航空用ガスタービン３の運転中に、保護被膜５７が潤滑性を十分かつ安定的に発揮して、タービンディスク２１のインナー円筒部２５の外周面だけでなく、ブラシ毛４９の先端の摩耗を十分に抑えることができる。特に、ブラシ毛４９がクロムを含むコバルト合金からなる場合には、ブラシ毛４９の先端に酸化クロムの固形物を生成することができ、タービンディスク２１のインナー円筒部２５の外周面をより十分に抑えることができる。
【００３８】
なお、保護被膜５７が表面側及び内部に酸化クロムの固形物を生成した状態に一旦変化すると、航空用ガスタービン３の運転の停止後もその状態は維持されるものである。また、航空用ガスタービン３の運転中に、保護被膜５７が１０８０℃を超える酸化雰囲気中に置かれることがないため、保護被膜５７の酸化劣化を抑えることができる。
【００３９】
以上の如き、本発明の実施形態によれば、航空用ガスタービン３の運転中に、保護被膜５７が潤滑性を十分かつ安定的に発揮して、タービンディスク２１のインナー円筒部２５の外周面及びブラシ毛４９の先端の摩耗を抑えることができるため、タービンディスク２１（タービンディスク２１のインナー円筒部２５）の耐久性及び回転安定性を十分に確保した上で、ブラシシール４５の交換頻度を低くして、接触型のガスシール構造４３のメンテナンスコストの低減を図ることができる。
【００４０】
なお、本発明は、前述の実施形態の説明に限られるものではなく、次のように種々の態様で実施可能である。即ち、燃焼ガスＧの漏れを抑えるための接触型のガスシール構造４３に適用した技術的思想を、４００℃以上の冷却空気の漏れを抑える接触型のガスシール構造（図示省略、特開平１０−３１７９０３号公報等参照）に適用しても構わない。また、航空用ガスタービン３における接触型のガスシール構造４３に適用した技術思想を産業用ガスタービン又は蒸気タービン等の別のターボ回転機械における接触型のガスシール構造（図示省略）に適用しても構わない。更に、これらの場合に、保護被膜（図示省略）をコーティングした後に、保護被膜を熱処理によって６５０℃以上の酸化雰囲気中に置くことにより、保護被膜の表面側及び内部に酸化クロムの固形物を生成させても構わない。
【００４１】
本発明に包含される権利範囲は、接触型のガスシール構造４３だけでなく、接触型のガスシール構造４３が用いられた航空用ガスタービン３等のターボ回転機械にも及ぶものである。
【符号の説明】
【００４２】
Ｇ  燃焼ガス（高温ガス）
Ｌ  加工液
Ｓ  ガスタービン軸心（航空用ガスタービンの軸心）
１  高圧タービン
３  航空用ガスタービン（ターボ回転機械）
５  燃焼器
７  高圧タービンケース
９  高圧タービンステータ
９ｓ  タービンステータセグメント
１１  静翼
１３  主流路
１５  アウターバンド
１７  インナーバンド
１９  高圧タービンロータ
２１  タービンディスク
２３  取付溝
２５  インナー円筒部（ロータ部）
２７  タービン動翼
２９  プラットホーム
３１  フロントリテーナ
３３  リアリテーナ
３５  タービンシュラウド
３５ｓ  タービンシュラウドセグメント
３７  シールステータ
３９  テーパ部
４１  アウター円筒部（ステータ部）
４３  ガスシール構造
４５  ブラシシール
４９  ブラシ毛
５１  ロウ接合部
５３  リング板
５５  リング板
５７  保護被膜
５９  放電電極
【図１】
2016070258.tif 000003
【図２】
2016070258.tif 000004
【図３】
2016070258.tif 000005
【図４】
2016070258.tif 000006
【図５】
2016070258.tif 000007